(57)【要約】【課題】裏面接続穴の位置に規制されることなく回路遮断器を取付レールに取付けるための取付装置を容易に装着し得る回路遮断器、及びその取付装置を提供する。【解決手段】この発明の回路遮断器は、回路遮断器の筺体の裏面側に開口し裏面接続スタッドを挿入し得る裏面接続穴と、外部に設けられた取付レールに嵌合し得るレール嵌合溝と、裏面接続穴とレール嵌合溝とに連結された取付装置挿入溝とを有し、取付レールに係合し得る取付装置を、取付装置挿入溝と取付装置挿入溝に連結された裏面接続穴とに挿入して装着し得るように構成され、取付装置は、ばね部と、スライド部と、爪部とを備え、ばね部の少なくとも一部分が回路遮断器の裏面接続穴に挿入され、スライド部が取付装置挿入溝に挿入されて回路遮断器に装着される得るように構成される。【選択図】図８
2011014499.tif 000002
【特許請求の範囲】
【請求項１】
固定接点と前記固定接点に対して接触又は離反する可動接点と前記可動接点を駆動して前記接触又は離反させる開閉機構とを内部に収納し表面側に前記開閉機構を操作するハンドルが配置された絶縁物製の筐体と、前記固定接点に接続され前記筐体の一方の側端部側で外部の第１の導体に接続され得る第１の接続端子と、前記可動接点に接続され前記筐体の他方の側端部側で外部の第２の導体に接続され得る第２の接続端子とを備えた回路遮断器であって、
前記筐体は、前記筺体の前記表面側に対する裏面側に開口し前記第１の接続端子に接続される第１の裏面接続スタッドを挿入し得る第１の裏面接続穴と、前記筺体の裏面側に開口し前記第２の接続端子に接続される第２の裏面接続スタッドを挿入し得る第２の裏面接続穴と、外部に設けられた取付レールに嵌合し得るレール嵌合溝と、前記第１の裏面接続穴又は前記第２の裏面接続穴と前記レール嵌合溝とに連結された取付装置挿入溝とを有し、
前記取付レールに係合し得る取付装置を、前記取付装置挿入溝と前記取付装置挿入溝に連結された前記第１の裏面接続穴又は第２の裏面接続穴とに挿入して装着し得るように構成されたことを特徴とする回路遮断器。
【請求項２】
前記第１の接続端子と前記第２の接続端子は、夫々、間隔を介して並置された少なくとも２個の接続端子により構成され、
前記第１の裏面接続穴と前記第２の裏面接続穴は、前記第１の接続端子と前記第２の接続端子とに夫々対応して並置された少なくとも２個の裏面接続穴により構成され、
前記取付装置挿入溝に連結された前記第１の裏面接続穴又は第２の裏面接続穴は、隣接する２つの前記第１の裏面接続穴又は第２の裏面接続穴であり、
前記相隣る２つの前記第１の裏面接続穴又は第２の裏面接続穴の間の隔壁の底面は、前記取付装置挿入溝の底面に連結されている
ことを特徴とする請求項１に記載の回路遮断器。
【請求項３】
固定接点と前記固定接点に対して接触又は離反する可動接点と前記可動接点を駆動して前記接触又は離反させる開閉機構とを内部に収納し表面側に前記開閉機構を操作するハンドルが配置された絶縁物製の筐体と、前記固定接点に接続され前記筐体の一方の側端部側で外部の第１の導体に接続され得る第１の接続端子と、前記可動接点に接続され前記筐体の他方の側端部側で外部の第２の導体に接続され得る第２の接続端子と、前記筺体の前記表面側に対する裏面側に開口し前記第１の接続端子に接続される第１の裏面接続スタッドを挿入し得る第１の裏面接続穴と、前記筺体の前記裏面側に開口し前記第２の接続端子に接続される第２の裏面接続スタッドを挿入し得る第２の裏面接続穴と、前記筺体に設けられ外部に設けられた取付レールに嵌合し得るレール嵌合溝と、前記筺体に設けられ前記第１の裏面接続穴又は前記第２の裏面接続穴と前記レール嵌合溝とに連結された取付装置挿入溝とを有する回路遮断器に装着される回路遮断器の取付装置であって、
スライド部と、
前記スライド部に一端部が固定され、他端部が自由端に形成されたばね部と、
前記スライド部に固定された爪部とを備え、
前記ばね部の少なくとも一部分が前記取付装置挿入溝に連結された前記第１の裏面接続穴又は第２の裏面接続穴に挿入されると共に前記スライド部が前記取付装置挿入溝に摺動自在に挿入されることにより、前記回路遮断器に装着され得るように構成され、
前記装着されているとき、前記爪部が前記レール嵌合溝に突出して前記取付レールに係合して前記回路遮断器を前記取付レールに取付けることを特徴とする回路遮断器の取付装置。
【請求項４】
前記爪部が前記レール嵌合溝に突出している状態から反レール嵌合溝側に移動したとき、前記ばね部の自由端が前記回路遮断器の筺体の一部分に当接して前記ばね部が変形することにより生じる前記ばね部の弾性力により、前記スライド部が前記レール嵌合溝側に付勢されることを特徴とする請求項３に記載の回路遮断器の取付装置。
【請求項５】
前記ばね部は、前記スライド部の一方の側部に一端部が連結され他端部が自由端に形成された第１のばね部と、前記スライド部の他方の側部に一端部が連結され他端部が自由端に形成された第２のばね部とにより構成されていることを特徴とする請求項３又は４に記載の回路遮断器の取付装置。
【請求項６】
前記ばね部と前記スライド部と前記爪部とが、合成樹脂により一体成型されていることを特徴とする請求項３乃至５のうち何れか一項に記載の回路遮断器の取付装置。
【発明の詳細な説明】
【技術分野】
【０００１】
この発明は、分電盤等に設けられたレールに取付け得る回路遮断器、及びその回路遮断器に装着されて回路遮断器をレールに取付ける取付装置に関するものである。
【背景技術】
【０００２】
一般に、分電盤若しくは配電盤等（以下、単に、分電盤等と称する）の筐体内に設置された回路遮断器に於ける電源側端子と外部の電源側導体との接続、及び負荷側端子と負荷側導体との接続作業は、回路遮断器の表面側から行われる場合と回路遮断器の裏面側から行われる場合とがある。このような接続作業の相違は、主として分電盤等の筐体の構造の相違に起因する。
【０００３】
従って、分電盤等の構造に対応して、表面側から前述の接続作業を行い得る構成の回路遮断器と、裏面側から前述の接続作業を行い得る構成の回路遮断器とを使い分ける必要がある。従来、そのように構成の相違する回路遮断器を別個に製造することの不利を解消するため、回路遮断器の表面側及び裏面側の何れからでも前述の接続作業を行えるようにした回路遮断器が提案されている（例えば、特許文献１参照）。
【０００４】
一方、分電盤等に設置される回路遮断器は、分電盤等の筐体内に設けられた取付板に固定されているＩＥＣ規格に準拠した３５［ｍｍ］幅の取付レール（以下、単に、取付レールと称する）に取付けられるか、或いは筐体内に設けられた取付板に直接取付けられる。そのため、前述の従来の回路遮断器は、その裏面に、取付レールに係合して回路遮断器を取付レールに取付けるための取付装置としてのスライダが装着されると共に、取付レールを備えていない取付板に直接回路遮断器を取付ける取付ネジを貫通させるための取付ネジ貫通穴を備えている。
【０００５】
このような従来の回路遮断器に於いて、前述のスライダは、並置された２つの裏面接続用の貫通穴の間に摺動自在に装着され、ばねにより取付レール側に常時付勢されて取付レールに係合し得るように構成されている。
【先行技術文献】
【特許文献】
【０００６】
【特許文献１】特開平９−１９８９８７号公報
【発明の概要】
【発明が解決しようとする課題】
【０００７】
裏面接続用の貫通穴を裏面に備えた従来の回路遮断器は、並置された２つの裏面接続用の貫通穴の間に回路遮断器を取付レールに取付けるための取付装置を装着するように構成されているので、取付装置を装着するための位置が裏面接続用の貫通穴に規制されて極めて狭い間隔となり、従って取付装置の幅方向の長さも小さくならざるを得ない。その結果、取付装置に所定の強度を持たせるために、取付装置を金属製とする必要があるか又は合成樹脂性とした場合に厚さ方向等の寸法を大きくする必要がある。
【０００８】
しかしながら、取付装置を金属製とした場合、重量の増大とコストの増大をもたらすこととなり、一方、取付装置を合成樹脂性とした場合、その厚さ方向等の寸法を大きくする必要があるので回路遮断器の裏面から内部機構側に近接することとなり、回路遮断器の内部機構に発生する熱の影響を受け取付装置が劣化して強度が低下する恐れが生じる。
【０００９】
又、前述の従来の回路遮断器によれば、取付装置は、スライダとそのスライダを付勢するばねにより構成されているので、スライダとばねを回路遮断器に装着する作業が複雑となる。
【００１０】
この発明は、従来の回路遮断器に於ける前述のような課題を解決するために成されたもので、裏面接続穴の位置に規制されることなく取付レールに取付けるための取付装置を容易に装着し得る回路遮断器を提供することを目的としたものである。
【００１１】
又、この発明は、回路遮断器への装着が容易な回路遮断器の取付装置を提供することを目的としたものである。
【課題を解決するための手段】
【００１２】
この発明による回路遮断器は、固定接点と前記固定接点に対して接触又は離反する可動接点と前記可動接点を駆動して前記接触又は離反させる開閉機構とを内部に収納し表面側に前記開閉機構を操作するハンドルが配置された絶縁物製の筐体と、前記固定接点に接続され前記筐体の一方の側端部側で外部の第１の導体に接続され得る第１の接続端子と、前記可動接点に接続され前記筐体の他方の側端部側で外部の第２の導体に接続され得る第２の接続端子とを備えた回路遮断器であって、前記筐体は、前記筺体の前記表面側に対する裏面側に開口し前記第１の接続端子に接続される第１の裏面接続スタッドを挿入し得る第１の裏面接続穴と、前記筺体の裏面側に開口し前記第２の接続端子に接続される第２の裏面接続スタッドを挿入し得る第２の裏面接続穴と、外部に設けられた取付レールに嵌合し得るレール嵌合溝と、前記第１の裏面接続穴又は前記第２の裏面接続穴と前記レール嵌合溝とに連結された取付装置挿入溝とを有し、前記取付レールに係合し得る取付装置を、前記取付装置挿入溝と前記取付装置挿入溝に連結された前記第１の裏面接続穴又は第２の裏面接続穴とに挿入して装着し得るように構成されたことを特徴とするものである。
【００１３】
又、この発明による回路遮断器の取付装置は、固定接点と前記固定接点に対して接触又は離反する可動接点と前記可動接点を駆動して前記接触又は離反させる開閉機構とを内部に収納し表面側に前記開閉機構を操作するハンドルが配置された絶縁物製の筐体と、前記固定接点に接続され前記筐体の一方の側端部側で外部の第１の導体に接続され得る第１の接続端子と、前記可動接点に接続され前記筐体の他方の側端部側で外部の第２の導体に接続され得る第２の接続端子と、前記筺体の前記表面側に対する裏面側に開口し前記第１の接続端子に接続される第１の裏面接続スタッドを挿入し得る第１の裏面接続穴と、前記筺体の前記裏面側に開口し前記第２の接続端子に接続される第２の裏面接続スタッドを挿入し得る第２の裏面接続穴と、前記筺体に設けられ外部に設けられた取付レールに嵌合し得るレール嵌合溝と、前記筺体に設けられ前記第１の裏面接続穴又は前記第２の裏面接続穴と前記レール嵌合溝とに連結された取付装置挿入溝とを有する回路遮断器に装着される回路遮断器の取付装置であって、スライド部と、前記スライド部に一端が固定され、他端が自由端に形成されたばね部と、前記スライド部に固定された爪部とを備え、前記ばね部の少なくとも一部分が前記取付装置挿入溝に連結された前記第１の裏面接続穴又は第２の裏面接続穴に挿入されると共に前記スライド部が前記取付装置挿入溝に摺動自在に挿入されることにより、前記回路遮断器に装着され得るように構成され、前記装着されているとき、前記爪部が前記レール嵌合溝に突出して前記取付レールに係合して前記回路遮断器を前記取付レールに取付けることを特徴とするものである。
【発明の効果】
【００１４】
この発明による回路遮断器は、筺体の前記表面側に対する裏面側に開口し前記第１の接続端子に接続される第１の裏面接続スタッドを挿入し得る第１の裏面接続穴と、前記筺体の裏面側に開口し前記第２の接続端子に接続される第２の裏面接続スタッドを挿入し得る第２の裏面接続穴と、外部に設けられた取付レールに嵌合し得るレール嵌合溝と、前記第１の裏面接続穴又は前記第２の裏面接続穴と前記レール嵌合溝とに連結された取付装置挿入溝とを有し、前記取付レールに係合し得る取付装置を、前記取付装置挿入溝と前記取付装置挿入溝に連結された前記第１の裏面接続穴又は第２の裏面接続穴とに挿入して装着し得るように構成されているので、裏面接続穴の位置に規制されることなく回路遮断器を取付レールに取付けるための取付装置を容易に装着することができる。又、取付装置挿入溝に連結された第１の裏面接続穴又は裏面接続穴に取付装置のばね部を挿入することで、回路遮断器の内部機構の発熱によるばね部への影響を少なくすることができ、取付装置の劣化を防止することができる。
【００１５】
又、この発明による回路遮断器の取付装置によれば、スライド部と、前記スライド部に一端が固定され、他端が自由端に形成されたばね部と、前記スライド部に固定された爪部とを備え、前記ばね部の少なくとも一部分が回路遮断器の取付装置挿入溝に連結された前記第１の裏面接続穴又は第２の裏面接続穴に挿入されると共に前記スライド部が前記取付装置挿入溝に摺動自在に挿入されることにより、前記回路遮断器に装着され得るように構成されように構成されているので、回路遮断器への装着が容易な回路遮断器の取付装置を得ることができる。
【図面の簡単な説明】
【００１６】
【図１】この発明の実施の形態１による回路遮断器の斜視図で、裏面側を上方にして示している。
【図２】この発明の実施の形態１による回路遮断器を一部分を破断して示す説明図で、表面側を上方にして示している。
【図３】この発明の実施の形態１による回路遮断器の裏面側の平面図である。
【図４】この発明の実施の形態１による回路遮断器の取付装置を示す斜視図である。
【図５】この発明の実施の形態１による回路遮断器の取付装置の平面図である。
【図６】この発明の実施の形態１による取付装置を、この発明の実施の形態１による回路遮断器に装着する途中の段階を示す斜視図で、回路遮断器の裏面側を上方にして示している。
【図７】この発明の実施の形態１による取付装置を、この発明の実施の形態１による回路遮断器に装着する途中の段階を一部断面にて示す説明図で、回路遮断器の表面側を上方にして示している。
【図８】この発明の実施の形態１による取付装置をこの発明の実施の形態１による回路遮断器に装着した状態を示す斜視図で、回路遮断器の裏面側を上方にして示している。
【図９】図９は、この発明の実施の形態１による取付装置をこの発明の実施の形態１による回路遮断器に装着した状態を一部断面にて示す説明図で、回路遮断器の表面側を上方にして示している。
【図１０】この発明の実施の形態１による取付装置をこの発明の実施の形態１による回路遮断器に装着した状態を示す回路遮断器の裏面側の平面図である。
【図１１】この発明の実施の形態１による回路遮断器を取付レールに取付けた状態を、一部断面にて示す説明図である。
【図１２】取付レールの横断面を示す断面図である。
【図１３】この発明の実施の形態１による回路遮断器に電源側裏面接続スタッド及び負荷側裏面接続スタッドを装着した状態を、一部断面にて示す説明図である。
【図１４】この発明の実施の形態１による回路遮断器を、電源側裏面接続スタッド及び負荷側裏面接続スタッドを装着した状態で示す側面図である。
【発明を実施するための形態】
【００１７】
実施の形態１．
以下、この発明の実施の形態１による回路遮断器を、図に基づいて説明する。図１は、この発明の実施の形態１による回路遮断器の斜視図で、裏面側を上方にして示している。図２は、この発明の実施の形態１による回路遮断器を一部分を破断して示す説明図で、表面側を上方にして示している。図３は、この発明の実施の形態１による回路遮断器の裏面側の平面図である。
【００１８】
図１乃至図３に於いて、三相用配線遮断器としての回路遮断器１００は、受電盤や配電盤等の筐体（図示せず）内に収納され得るように構成されており、絶縁物製のベース１と同じく絶縁物製のカバー２とにより構成される筐体３を備えている。ベース１とカバー２は、ネジ（図示せず）により分離自在に一体に固定されている。筐体３の内部には、図示していない固定接点とこの固定接点に対して接触又は離反する可動接点とこの可動接点を駆動して固定接点に対して接触又は離反させる開閉機構と可動接点が固定接点から離反したときに発生するアークを消弧させる消弧装置が収納されている。
【００１９】
又、筐体３の内部には、回路遮断器１００が接続された電気回路（図示せず）に第１の所定値以上の過電流が所定時間以上流れたときに、前述の開閉機構を動作させて可動接点を固定接点から離反させる長限時引外し装置（図示せず）と、回路遮断器１００が接続された電気回路（図示せず）に前述の第１の所定値より大きい第２の所定値以上の過電流が流れたときに、瞬時に前述の開閉機構を動作させて可動接点を固定接点から離反させる瞬時引外し装置（図示せず）とが収納されている。長限時引外し装置は、前述の第１の所定値以上の過電流により彎曲するバイメタルを含み、瞬時引外し装置は前述の第２の所定値以上の過電流により固定鉄心に吸引される可動鉄心を含む。
【００２０】
前述の開閉機構を手動にて操作するためのハンドル４は、筺体３の表面側であるカバー２の表面から突出するように配置されている。第１の接続端子としての電源側接続端子５１は、ベース１の一方の側端部側に３個並置されており（図２には１個のみが示されている）、夫々筺体３の内部に於いて固定接点に接続されている。第２の接続端子としての負荷側接続端子６１は、ベース１の他方の側端部側に３個並置されており、夫々筺体の内部に於いて可動接触子を介して可動接点に接続されている（図２には１個のみが示されている）。
【００２１】
第１の裏面接続穴としての３個の電源側裏面接続穴７１、７２、７３は、回路遮断器１００の一方の側端部側でベース１をその裏面から夫々対応する３個の電源側接続端子５１の位置まで貫通して設けられている。これらの３個の電源側裏面接続穴７１、７２、７３は、夫々間隔を介してベース１の底面に開口している。第２の裏面接続穴としての３個の負荷側裏面接続穴８１、８２、８３は、回路遮断器１００の他方の側端部側でベース１をその裏面から夫々対応する３個の負荷側接続端子６１の位置まで貫通して設けられている。これらの３個の負荷側裏面接続穴８１、８２、８３は、夫々間隔を介してベース１の底面に開口している。
【００２２】
ベース１の裏面に設けられたレール嵌合溝９は、３個の電源側裏面接続穴７１、７２、７３の整列方向及び３個の負荷側裏面接続穴８１、８２、８３の整列方向と平行に延びるように形成されており、回路遮断器１００の分電盤等の筺体内に設けられた取付板に固定されている後述の取付レールに嵌合する。このレール嵌合溝９の深さ方向の寸法は、後述する取付装置の厚さ方向の寸法とほぼ同一の寸法に形成され、且つレール嵌合溝９の幅方向の寸法は、取付レールの張出し部を含めた幅方向の寸法とほぼ同一の寸法に形成されている。
【００２３】
レール嵌合溝９の一方の側壁部に一体に形成された一対の係合突起９１、９２は、レール嵌合溝９の底面９０に対して間隙を介して設けられ、レール嵌合溝９の側壁部からレール嵌合溝９内に突出している。レール嵌合溝９の底面９０と一対の係合突起９１、９２との間の間隙は、後述する取付レールの張出し部の厚さ方向の寸法にほぼ等しく設定されている。
【００２４】
ベース１の裏面に設けられた取付装置挿入溝１０は、レール嵌合溝９の延びる方向に対して直行する方向に延びるように形成され、その一端部１１がレール嵌合溝９の側部に連結され、他端部１２が隣接する２つの負荷側裏面接続穴８１、８２に夫々連結されている。取付装置挿入溝１０の両側壁部に一体に形成された夫々一対の係合突起１３、１４、及び１５、１６は、取付装置挿入溝１０の底面１７に対して間隙を介して設けられ、取付装置挿入溝１０の両側壁部から取付装置挿入溝１０内に突出している。
【００２５】
夫々の一対の係合突起のうちの一方１４、１６の端部は、取付装置挿入溝１０の一端部１１に於いてベース１の裏面側から取付装置挿入溝１０の底面１７まで延びており、後述するように取付装置に対するストッパーとして機能する。取付装置挿入溝１０の底面１７と夫々の係合突起１３、１４及び１５、１６との間の間隙は、取付装置のスライド部に設けられている後述の係合突起の厚さ方向の寸法にほぼ等しく設定されている。
【００２６】
ベース１の裏面側に開口する３個の負荷側裏面接続穴８１、８２、８３のうち、隣接する２つの負荷側裏面接続穴８１と８２との間に存在する隔壁１８は、取付装置挿入溝１０の深さ方向の寸法と同一の寸法だけベース１の裏面側から切り欠かれている。その結果、隔壁１８の底面１８１は、取付装置挿入溝１０の底面１７に同一平面で連続して連結されている。又、隔壁１８の底面１８１は、ベース１の側端部側に開放されていると共に、ベース１の側端部側に於いて底面１８１から更にベース１の反裏面側へ所定の深さで切り欠かれた切欠部１８２を備えている。この切欠部１８２の機能については後述する。
【００２７】
ベース１の電源側裏面接続穴７１と７２、及び７２と７３との間に存在する隔壁には、夫々取付ネジ貫通穴１９、２０が形成されている。又、同様に、ベース１の負荷側裏面接続穴８１と８２、及び８２と８３との間に存在する隔壁には、夫々取付ネジ貫通穴２１、２２が形成されている。これらの取付ネジ貫通穴１９、２０、２１、２２は、回路遮断器１００を受電盤等の筺体内に設けられた取付板等に固定するための取付ネジ２３、２４（図３には２個のみ示している）を貫通させるためのものである。
【００２８】
次に、この発明の実施の形態１による回路遮断器の取付装置を、図に基づいて説明する。図４は、この発明の実施の形態１による回路遮断器の取付装置を示す斜視図、図５は、この発明の実施の形態１による回路遮断器の取付装置の平面図である。
【００２９】
図４及び図５に於いて、取付装置２００は、スライド部２０１と、スライド部２０１の一端部に固定された爪部２０２と、一端部２０３１がスライド部２０１の一方の側部に固定され他端部２０３２が自由端に形成された第１のばね部２０３と、一端部２０４１がスライド部２０１の他方の側部に固定され他端部２０４２が自由端に形成された第２のばね部２０４とにより構成されている。取付装置２００は、前述のスライド部２０１と爪部２０２と第１のばね部２０３と第２のばね部２０４とを、弾力性を有する合成樹脂により一体成型することにより構成されている。
【００３０】
スライド部２０１の幅方向の長さＷ１は、前述の回路遮断器１００の取付装置挿入溝１０に於ける係合突起１３と１５との対向間隔、及び同じく係合突起１４と１６との対向間隔とほぼ同一の寸法に形成されている。又、スライド部２０１の厚さ方向の長さＷ２は、前述の取付装置挿入溝１０の深さ方向の寸法とほぼ同一の寸法に形成されている。
【００３１】
スライド部２０１の両側部には、夫々一対の係合突起２０５１、２０５２及び２０５３、２０５４が一体に形成されている。これらの係合突起２０５１、２０５２、２０５３、２０５４は、スライド部２０１の図４に於ける下面側に設けられ、その厚さ方向の寸法は、前述の取付装置挿入溝１０の底面１７と夫々の係合突起１３、１４及び１５、１６との間の間隙とほぼ同一の寸法に形成されている。
【００３２】
スライド部２０１の他端部側は、第１のばね部２０３と第２のばね部２０４との間に位置し、その両側部は、第１のばね部２０３の内側蛇行部２０３３と第２のばね部２０４の内側蛇行部２０４３に対して間隔を介して対向している。又、スライド部２０１の他端部側には、取付ネジ貫通穴２０６と、取外し穴２０７が形成されている。スライド部２０１の取付ネジ貫通穴２０６は、取付装置２００が回路遮断器１００に装着されたまま回路遮断器１００を取付板に取付ネジにより取り付ける場合に、その取付ネジを貫通させるためのものである。スライド部２０１の取外し穴２０７は、後述するように、取付装置２００を回路遮断器１００から取外す場合にドライバー等の工具を挿入するためのものである。
【００３３】
爪部２０２は、図４に於ける上面側から下面側に向って滑らかに傾斜する傾斜面２０２１を備えている。この傾斜面２０２１は、後述するように取付レールの張出し部に当接したときスライド部２０１を反取付レール側にスライドさせるためのものである。又、爪部２０２の図４に於ける下面側には、スライド部２０１の幅方向に延びる切欠部２０２２が形成されている。この切欠部２０２２に於けるスライド部２０１の下面側から上面側までの寸法は、取付レールの張出し部の厚さ方向の寸法とほぼ同一の寸法に形成されている。
【００３４】
次に、前述のように構成された取付装置２００の、前述の回路遮断器１００への装着の仕方、若しくは前述の回路遮断器１００からの取り外しの仕方について説明する。図６は、この発明の実施の形態１による取付装置を、この発明の実施の形態１による回路遮断器に装着する途中の段階を示す斜視図で、回路遮断器の裏面側を上方にして示している。図７は、この発明の実施の形態１による取付装置を、この発明の実施の形態１による回路遮断器に装着する途中の段階を一部断面にて示す説明図で、回路遮断器の表面側を上方にして示している。
【００３５】
取付装置２００を回路遮断器１００に装着するには、図６及び図７に示すように、先ず、取付装置２００の爪部２０２を、回路遮断器１００のベース１に設けられている取付装置挿入溝１０の一端部１１側に挿入し、スライド部２０１の両側部に設けられている係合突起２０５２と２０５４とを、取付装置挿入溝１０に設けられている係合突起１５と１６との間、及び１３と１４との間に夫々対応させる。このとき、スライド部２０１の両側部に設けられている係合突起２０５１、２０５３も、取付装置挿入溝１０の係合突起１５、１３から外れた位置にあり、取付装置２００の第１のばね部２０３及び第２のばね部２０４の夫々の自由端である他端部２０３２，２０４２は、回路遮断器１００のベース１の端壁部に乗り上げた状態にある。
【００３６】
次に、この状態にある取付装置２００をベース１の裏面側に押圧し、スライド部２０１を彎曲させて取付装置挿入溝１０の底面１７に当接させる。そして、その状態のまま取付装置２００をレール嵌合溝９側にスライドさせ、スライド部２０１の係合突起２０５２、２０５４の端部を前述のストッパーとして機能する取付装置挿入溝１０の係合突起１６、１４の端部に当接させる。このとき、爪部２０２がレール嵌合溝９内に突出し、第１のばね部２０３及び第２のばね部２０４がベース１の負荷側裏面接続穴２２と２１に夫々挿入され、取付装置２００は完全に回路遮断器１００のベース１に装着された状態となる。
【００３７】
取付装置２００が回路遮断器１００に完全に装着された状態では、スライド部２０１に於ける第１のばね部２０３と第２のばね部２０４との間に位置する部位は、ベース１の負荷側裏面接続穴８１と８２との間の隔壁１８の底面１８１に当接する。又、スライド部２０１の係合突起２０５１、２０５２、２０５３、２０５４は、取付装置挿入溝１０の底面１７と係合突起１５、１６、１３、１４との間の間隙内に挿入されている。  
【００３８】
図８は、この発明の実施の形態１による取付装置をこの発明の実施の形態１による回路遮断器に装着した状態を示す斜視図で、回路遮断器の裏面側を上方にして示している。図９は、この発明の実施の形態１による取付装置をこの発明の実施の形態１による回路遮断器に装着した状態を一部断面にて示す説明図で、回路遮断器の表面側を上方にして示している。図１０は、この発明の実施の形態１による取付装置をこの発明の実施の形態１による回路遮断器に装着した状態を示す回路遮断器の裏面側の平面図である。
【００３９】
図８乃至図１０に示すように、回路遮断器１００のベース1に装着された取付装置２００は、その第１のばね部２０３の他端部２０３２と第２のばね部２０４の他端部２０４２がベース1の負荷側裏面接続穴８２、８１の壁部に当接することにより僅かに変形しており、その変形による弾性力によりスライド部２０１がレール嵌合溝９の方向に付勢され、爪部２０２がレール嵌合溝９内に突出している。又、スライド部２０１の反爪部側の端面は、回路遮断器１００の負荷側の側端面と同一平面を成す位置にある。
【００４０】
取付装置２００を回路遮断器１００から取外すときは、先ず、ベース１の負荷側の側端部から、隔壁１８に設けられた前述の切欠部１８２を介して取付装置２００に設けられた取外し穴２０７にドライバー等の工具を差込み、取付装置２００を第１のばね部２０３及び第２のばね部２０４の付勢力に抗して反レール嵌合溝側へスライドさせ、スライド部２０１の係合突起２０５１、２０５２、２０５３、２０５４と取付装置挿入溝１０の係合突起１５、１６、１３、１４との係合を外す。次に、取付装置２００の反爪部側を回路遮断器１００のベース１から引き出せば、図６及び図７に示す状態となり、取付装置２００を回路遮断器１００から取外すことができる。
【００４１】
次に、取付装置２００を装着した回路遮断器１００を、受電盤等の筐体内の取付板等に設けられた取付レールに取付ける方法について説明する。図１１は、この発明の実施の形態１による回路遮断器を取付レールに取付けた状態を、一部断面にて示す説明図、図１２は、取付レールの横断面を示す断面図である。
【００４２】
先ず、取付装置２００を裏面側に装着した回路遮断器１００を、そのレール嵌合溝９の側壁部に設けられた係合突起９１、９２に、図１２に示す取付レール３００の一方の張出し部３０１に係合させる。次にその回路遮断器１００を、取付レール３０１の一方の張出し部３０１と係合突起９１、９２との係合部を中心にして取付レール３００側へ回動させ、取付装置２００の爪部２０２の傾斜面２０２１を取付レール３００の他方の張出し部３０２に当接させて押圧する。
【００４３】
これにより、取付装置２００の爪部２０２及びスライド部２０１は、反取付レール側にスライドする。このとき、第１のばね部２０３の他端２０３２と第２のばね部２０４の他端２０４２は、ベース１の負荷側裏面接続穴８２、８１の壁部に当接しているので移動せず、従って第１のばね部２０３及び第２のばね部２０４は、スライド部２０１のスライドに伴って変形の度合いが大きくなり、スライド部２０１及び爪部２０２に対する取付レール３００方向への付勢力を強めることになる。
【００４４】
前述の付勢力に抗してスライド部２０１及び爪部２０２が反取付レール方向にスライドし、爪部２０２の先端部が取付レール３００の他方の張出し部３０２の先端部を乗り越えると、スライド部２０１及び爪部２０２は第１のばね部２０３及び第２のばね部２０４の付勢力により取付レール３００の方向へ急速にスライドし、爪部２０２の切欠部２０２２に取付レールの張出部３０２の先端部が嵌合する。これにより図１１に示すように、回路遮断器１００のレール嵌合溝９内に取付レール３００が嵌合し、回路遮断器１００は取付レール３００に取付けられる。  
【００４５】
取付レール３００に取付けられた回路遮断器１００を、取付レール３００から取外す場合は、ベース１の負荷側の側端部から、隔壁１８に設けられた前述の切欠部１８２を介して取付装置２００に設けられた取外し穴２０７にドライバー等の工具を差込み、取付装置２００を第１のばね部２０３及び第２のばね部２０４の付勢力に抗して反取付レール３００の方向にスライドさせ、爪部２０２と取付レールの張出部３０２との係合を解く。この状態で、回路遮断器１００を取付レール３０１の一方の張出し部３０１と係合突起９１、９２との係合部を中心にして反取付レール３００側へ回動させることにより、回路遮断器１００を取付レール３００から取外すことができる。
【００４６】
回路遮断器１００を、取付レールを備えていない取付板等に取付ける場合は、前述の取付ネジ貫通穴１９、２０、２１、２２に取付ネジ２３、２４（図３には２個のみ示している）を貫通させ、これらの取付ネジ２３、２４等により回路遮断器１００を取付板に取付けることができる。この場合、取付装置２００が回路遮断器１００に装着されたままであっても、取付装置２００に前述のように取付ネジ貫通穴２０６が設けられているので、何ら問題はない。勿論、回路遮断器１００から取付装置２００を取外した状態で、取付ネジ２３、２４等により回路遮断器１００を取付板に取り付けるようにしても良い。
【００４７】
以上述べた回路遮断器１００は、電源側裏面接続スタッド及び負荷側裏面接続スタッドが装着されておらず、回路遮断器１００の電源側接続端子及び負荷側接続端子と、外部の電源側導体及び負荷側導体との接続作業は、回路遮断器１００の表面側若しくは側面側から行われる。
【００４８】
図１３は、この発明の実施の形態１による回路遮断器に電源側裏面接続スタッド及び負荷側裏面接続スタッドを装着した状態を、一部断面にて示す説明図、図１４は、この発明の実施の形態１による回路遮断器を、電源側裏面接続スタッド及び負荷側裏面接続スタッドを装着した状態で示す側面図である。
【００４９】
回路遮断器１００の電源側接続端子及び負荷側端子と外部の電源側導体及び負荷側導体との接続を、回路遮断器１００の裏面側から行う必要があるときは、図１３及び図１４に示すように、回路遮断器１００の電源側裏面接続穴７１、７２、７３に、夫々電源側裏面接続スタッドを挿入し、この電源側裏面接続スタッドと回路遮断器１００の電源側接続端子とをネジにより固定して接続する。図１３には、１つの電源側裏面接続スタッド５０１と１つの電源側接続端子５１との接続状態を示している。
【００５０】
同様に、回路遮断器１００の負荷側裏面接続穴８１、８２、８３に、夫々負荷側裏面接続スタッドを挿入し、この負荷側裏面接続スタッドと回路遮断器１００の負荷側接続端子とをネジにより固定して接続する。図１３には、１つの負荷側裏面接続スタッド４０１と１つの負荷側接続端子６１との接続状態を示している。図１４には、３本の負荷側裏面接続スタッド４０１、４０２、４０３が回路遮断器１００に装着された状態が示されている。
【００５１】
尚、回路遮断器１００を裏面接続により外部の電源側導体及び負荷側導体に接続する必要のある場合は、取付装置２００を装着していない回路遮断器１００を用いる。何故なら、取付装置２００が装着されていると、負荷側裏面接続穴８０１、８０２が取付装置２００の第１のばね部材２０３と第２のばね部材２０４により塞がれているからである。
【００５２】
以上のように構成されたこの発明の実施の形態１による回路遮断器は、以下の特徴を有する。
即ち、第１の接続端子と第２の接続端子は、夫々、間隔を介して並置された少なくとも２個の接続端子により構成され、第１の裏面接続穴と第２の裏面接続穴は、前記第１の接続端子と前記第２の接続端子とに夫々対応して並置された少なくとも２個の裏面接続穴により構成され、取付装置挿入溝に連結された第１の裏面接続穴又は第２の裏面接続穴は、隣接する２つの前記第１の裏面接続穴又は第２の裏面接続穴であり、前記隣接する２つの前記第１の裏面接続穴又は第２の裏面接続穴の間の隔壁の底面は、前記取付装置挿入溝の底面に連結されていることを特徴とする。
このように構成されたこの発明の実施の形態１による回路遮断器によれば、より強固な取付装置を装着することができる。
【００５３】
又、以上のように構成されたこの発明の実施の形態１による回路遮断器の取付装置は、以下の特徴を有する。
即ち、爪部がレール嵌合溝に突出している状態から反レール嵌合溝側に移動したとき、ばね部の自由端が回路遮断器の筺体の一部分に当接して前記ばね部が変形することにより生じる前記ばね部の弾性力により、スライド部が前記レール嵌合溝側に付勢されることを特徴とする。
このように構成されたこの発明の実施の形態１による回路遮断器の取付装置によれば、取付装置に容易に付勢力を与えることができる。
【００５４】
又、前記ばね部は、前記スライド部の一方の側部に一端部が連結され他端部が自由端に形成された第１のばね部と、前記スライド部の他方の側部に一端部が連結され他端部が自由端に形成された第２のばね部とにより構成されていることを特徴とする。
このように構成されたこの発明の実施の形態１による回路遮断器の取付装置によれば、より強力なばね力を備えた取付装置を得ることができる。
【００５５】
更に、前記ばね部と前記スライド部と前記爪部とが、合成樹脂により一体成型されていることを特徴とする。
このように構成されたこの発明の実施の形態１による回路遮断器の取付装置によれば、製作容易且つ安価であると共に回路遮断器への装着が容易な回路遮断器の取付装置を得ることができる。
【符号の説明】
【００５６】
１００    回路遮断器
１    ベース
２    カバー
３    筐体
４    ハンドル
５１    電源側接続端子
６１    負荷側接続端子
７１、７２、７３    電源側裏面接続穴
８１、８２、８３    負荷側裏面接続穴
９    レール嵌合溝
９０    レール嵌合溝の底面
９１、９２    レール嵌合溝の係合突起
１０    取付装置挿入溝
１３、１４、１５、１６    取付装置挿入溝の係合突起
１７    取付装置挿入溝の底面
１８    隔壁
１８１    隔壁の底面
１８２    隔壁の切欠部
１９、２０、２１、２２    取付ネジ２３、２４    取付ネジ
２００    取付装置
２０１    スライド部
２０２    爪部
２０２１    爪部の傾斜面
２０２２    爪部の切欠部
２０３    第１のばね部
２０４    第２のばね部
２０５１、２０５２、２０５３、２０５４    スライド部の係合突起
２０６    スライド部の取付ネジ貫通穴
２０７    スライド部の取外し穴
３００    取付レール
３０１、３０２    取付レールの張出し部
４０１、４０２、４０３    負荷側裏面接続スタッド
５０１    電源側裏面接続スタッド
【図１】
2011014499.tif 000003
【図２】
2011014499.tif 000004
【図３】
2011014499.tif 000005
【図４】
2011014499.tif 000006
【図５】
2011014499.tif 000007
【図６】
2011014499.tif 000008
【図７】
2011014499.tif 000009
【図８】
2011014499.tif 000010
【図９】
2011014499.tif 000011
【図１０】
2011014499.tif 000012
【図１１】
2011014499.tif 000013
【図１２】
2011014499.tif 000014
【図１３】
2011014499.tif 000015
【図１４】
2011014499.tif 000016